(57)【要約】【課題】持ち運び可能であり、プラグをプラグ差し込み口に対して抜き差し容易な配線器具を提供する。【解決手段】配線器具１００は、接地部を有するベース部３と、基端が前記ベース部３に支持された長尺の支持部２と、上面部１ａと底面部１ｂと外周部１ｃとにより盤状に形成され、前記底面部１ｂは前記支持部２の先端に支持され、前記外周部１ｃにプラグ差し込み口１１を有し、前記上面部１ａおよび前記底面部１ｂの少なくとも一方に手掛け部を有するプラグ接続部１と、を備える。【選択図】図１
2019079616.tif 000002
【特許請求の範囲】
【請求項１】
接地部を有するベース部と、
基端が前記ベース部に支持された長尺の支持部と、
上面部と底面部と外周部とにより盤状に形成され、前記底面部は前記支持部の先端に支持され、前記外周部にプラグ差し込み口を有し、前記上面部および前記底面部の少なくとも一方に手掛け部を有するプラグ接続部と、
を備える配線器具。
【請求項２】
前記上面部および前記底面部は、前記上面部と前記底面部とを手指で挟持可能な、挟持可能領域を有し、
前記手掛け部は、前記挟持可能領域に配置される、
請求項１に記載の配線器具。
【請求項３】
複数の前記プラグ差し込み口が、前記外周部の周方向に配置されている、
請求項１または請求項２に記載の配線器具。
【請求項４】
前記支持部および前記プラグ接続部は連通する内部空間を有し、前記内部空間に前記プラグ差し込み口と電気的に接続された配線が配される、
請求項１から請求項３のいずれか一項に記載の配線器具。
【請求項５】
前記手掛け部は凹状に形成されている、
請求項１から請求項４のいずれか一項に記載の配線器具。
【請求項６】
前記手掛け部は凸状に形成されている、
請求項１から請求項４のいずれか一項に記載の配線器具。
【請求項７】
前記プラグ接続部は円盤状に形成されている、
請求項１から請求項６のいずれか一項に記載の配線器具。
【請求項８】
前記手掛け部は円形状に形成されている、
請求項７に記載の配線器具。
【発明の詳細な説明】
【技術分野】
【０００１】
本発明は、プラグ差し込み口を備えた配線器具に関する。
【背景技術】
【０００２】
電源コンセントなどのプラグ差し込み口は壁や床に設置されることが多く、プラグをプラグ差し込み口に対して抜き差しする際、腰をかがめる等の動作が必要である。こういった動作による使用者の負担を低減するため、プラグ差し込み口を抜き差しが容易な位置に配置される配線器具が知られている。
【０００３】
特許文献１には、ベースに鉛直に設けられた脚の上端にマルチタップが取り付けられた簡易継電器具が記載されている。使用者は、腰をかがめることなく、プラグをマルチタップのコンセントに差し込むことができる。また、使用者は、簡易継電器具を自由に持ち運ぶことができる。
【０００４】
特許文献２には、ベースに鉛直に設けられたシャフトの先端にコンセントブロックが取り付けられた電力ハブが記載されている。電力ハブにより、壁や床以外の箇所にコンセントブロックを配置することができる。また、使用者は、電力ハブを自由に持ち運ぶことができる。
【先行技術文献】
【特許文献】
【０００５】
【特許文献１】実開昭５７−００７１８４号公報
【特許文献２】米国特許出願公開第２０１６／００７９７２１号明細書
【発明の概要】
【発明が解決しようとする課題】
【０００６】
特許文献１に記載の簡易継電器具は、コンセントが鉛直上向きに設けられており、プラグ差し込み口に上方から床の方向に向かってプラグを差し込むため、安定した差し込みが可能である。しかしながら、プラグをプラグ差し込み口から上方に引き抜く際は、簡易継電器具がプラグに対して相対的に動かないように上方から片手で押え込む必要があった。
【０００７】
また、特許文献２に記載の配線器具は、コンセントが水平横向きに設けられており、ベースがしっかりと床に固定されていない場合、プラグをプラグ差し込み口に差し込む際も、プラグをプラグ差し込み口から引き抜く際も、配線器具がプラグに対して相対的に動かないように片手で押え込む必要があった。
【０００８】
このように、上記器具は、持ち運び可能であるため、軽量であり、また、ベースが床にしっかりと固定されていない。そのため、プラグをプラグ差し込み口に対して抜き差しする際、器具がプラグに対して相対的に動かないように、抜き差しする方向に片手で押え込む必要があった。しかしながら、上記器具は、片手で押え込む際に、手指でつかみやすい箇所が設けられておらず、押え込んでプラグを抜き差しやすい形状ではなかった。
【０００９】
上記事情を踏まえ、本発明は、持ち運び可能であり、プラグをプラグ差し込み口に対して抜き差し容易な配線器具を提供することを目的とする。
【課題を解決するための手段】
【００１０】
上記課題を解決するために、この発明は以下の手段を提案している。
本発明の配線器具は、接地部を有するベース部と、基端が前記ベース部に支持された長尺の支持部と、上面部と底面部と外周部とにより盤状に形成され、前記底面部は前記支持部の先端に支持され、前記外周部にプラグ差し込み口を有し、前記上面部および前記底面部の少なくとも一方に手掛け部を有するプラグ接続部と、を備える。
【００１１】
上記配線器具は、前記上面部および前記底面部が、前記上面部と前記底面部とを手指で挟持可能な、挟持可能領域を有し、前記手掛け部が、前記挟持可能領域に配置されていてもよい。
【００１２】
上記配線器具は、複数の前記プラグ差し込み口が、前記外周部の周方向に配置されていてもよい。
【００１３】
上記配線器具は、前記支持部および前記プラグ接続部が連通する内部空間を有し、前記内部空間に前記プラグ差し込み口と電気的に接続された配線が配されていてもよい。
【００１４】
上記配線器具は、前記手掛け部が凹状に形成されていてもよい。
【００１５】
上記配線器具は、前記手掛け部が凸状に形成されていてもよい。
【００１６】
上記配線器具は、前記プラグ接続部が円盤状に形成されていてもよい。
【００１７】
上記配線器具は、前記手掛け部が円形状に形成されていてもよい。
【発明の効果】
【００１８】
本発明の配線器具によれば、持ち運び可能であり、プラグをプラグ差し込み口に対して抜き差し容易である。
【図面の簡単な説明】
【００１９】
【図１】本発明の一実施形態に係る配線器具の全体構成を示す斜視図である。
【図２】同配線器具の断面図である。
【図３】同配線器具の下方から見た斜視図である。
【図４】同配線器具において、手指で挟持されたプラグ接続部を示す斜視図である。
【図５】同配線器具のプラグ接続部の平面図である。（Ａ）が上面部の平面図であり、（Ｂ）が底面部の平面図である。
【図６】同配線器具の変形例の斜視図である。
【図７】同配線器具の変形例の斜視図である。
【発明を実施するための形態】
【００２０】
本発明の一実施形態に係る配線器具１００について、図１から図７を参照して説明する。なお、図面を見やすくするため、各構成要素の厚さや寸法の比率は適宜調整されている。
【００２１】
図１は、配線器具１００の全体構成を示す斜視図である。図２は、配線器具１００の断面図である。
配線器具１００は、図１に示すように、プラグ接続部１と、ポール（支持部）２と、ベース部３と、を備える。配線器具１００はプラスチックや軽金属で形成されており、手軽に持ち運べる程度の重量で構成されている。
【００２２】
プラグ接続部１は、図１および図２に示すように、略円形状の上面部１ａおよび底面部１ｂと、上面部１ａの外周と底面部１ｂの外周とを接続する外周部１ｃと、により囲まれた内部空間Ｓを構成する円盤状に形成されている。プラグ接続部１は、上面部１ａと底面部１ｂとを手指で挟持可能な厚みに形成されている。
【００２３】
外周部１ｃには、４個のプラグ差し込み口１１が、外周部１ｃの周方向に均等に配置されている。本実施形態において、プラグ差し込み口１１は、電源コンセントである。
【００２４】
底面部１ｂの中心には、図２に示すように、ポール２の先端２ａに支持される接続部１２が設けられている。接続部１２は内部空間Ｓに連通する開口１３を有している。
【００２５】
図３は、プラグ接続部１を下方から見た斜視図である。
底面部１ｂは、図２および図３に示すように、略円形状の底面部１ｂと同心円状に形成された手掛け部１４を有している。手掛け部１４は、底面部１ｂから上面部１ａに向けて凹んだ凹状に形成されている。
【００２６】
図４は、手指で挟持されたプラグ接続部１を示している。図４では、親指により上面部１ａが支持され、親指以外の指により底面部１ｂが支持され、プラグ接続部１が挟持されている。手掛け部１４は、底面部１ｂと同心円状に形成されており、プラグ接続部１の外周部１ｃのいずれの方向から挟持する場合であっても、手掛け部１４に容易に手指を引っ掛けることができる。
【００２７】
手指を上面部１ａと底面部１ｂとの両方に接触させてプラグ接続部１を挟持する場合、上面部１ａおよび底面部１ｂには、片手の手指で挟持可能な領域と、片手の手指で挟持可能でない領域とに分かれる。上面部１ａおよび底面部１ｂにおいて、上面部１ａと底面部１ｂとを片手の手指で挟持可能な領域を、「挟持可能領域Ａ」と定義する。
【００２８】
図５（Ａ）は、上面部１ａにおける挟持可能領域Ａを示す図であり、図５（Ｂ）は、底面部１ｂにおける挟持可能領域Ａを示す図である。
例えば、図５が示すように、上面部１ａおよび底面部１ｂのうち、外周部１ｃから約５ｃｍ以内の距離にある領域は、挟持可能領域Ａである。一方、上面部１ａおよび底面部１ｂのうち、中心付近の領域は、上面部１ａと底面部１ｂとを手指で挟持する場合に手指が届かない領域であり、挟持可能領域Ａではない。
【００２９】
手掛け部１４は、図５（Ｂ）に示すように、挟持可能領域Ａに設けられているため、プラグ接続部１を手指で挟持すると同時に、手指を手掛け部１４に引っ掛け、プラグ接続部１をしっかり支持することができる。
【００３０】
ここで、大人から子供までが使用者となることを想定し、大人から子供までの手指の大きさに合わせて挟持可能領域Ａを設定して、手掛け部１４の位置を決めることが望ましい。
【００３１】
上面部１ａの中央部には、プラグ差し込み口１１から電力供給が可能であることを示す表示部１５が設けられている。表示部１５は、本実施形態においてＬＥＤである。表示部１５は、視認性の観点から、挟持可能領域Ａでない領域である上面部１ａの中央部に配置されている。
【００３２】
ポール（支持部）２は、図１および図２に示すように、中空で長尺の部材であり、基端が前記ベース部に支持され、上方に延びている。ポール２の先端２ａは、プラグ接続部１の接続部１２を支持しており、接続部１２の開口１３を介して、プラグ接続部１の内部空間Ｓとポール２の内部空間Ｔとは連通している。
【００３３】
ポール２の長手方向の中心軸は、円盤状のプラグ接続部１の円盤中心軸と一致しており、ポール２はプラグ接続部１を安定して支持することができる。
【００３４】
ベース部３は、図１に示すように、床に安定して接地可能な平らな接地部３１を備えた盤状部材である。接地部３１の反対側には、ポール２を支持するポール支持部３２を有している。ベース部３は、ベース部３に立設されたポール２とポール２の先端に取り付けられたプラグ接続部１を支えている。そのため、接地部３１は、プラグ接続部１およびポール２を安定して支えることができる接地面積を有していることが望ましい。
【００３５】
プラグ差し込み口１１には、電気的に接続され、電力を供給する電気配線が接続される。電気配線は、内部空間Ｓおよび内部空間Ｔを経由して、例えば、ポール２の基端付近から、外部に引き出され、電力供給用のプラグ（不図示）に接続されている。
【００３６】
次に、配線器具１００を使用する際の動作について説明する。
まず、使用者は、プラグ差し込み口１１が抜き差し容易な位置に配置されように、配線器具１００を移動させる。例えば、使用者は、配線器具１００をソファの横に移動させ、プラグ差し込み口１１を、使用者がソファに座ったまま抜き差し可能な位置に配置する。
【００３７】
電力供給用のプラグを壁や床にある電源コンセントに接続し、プラグ差し込み口１１に電力を供給する。すると、表示部１５にも電力が供給され、プラグ差し込み口１１から電力供給が可能であることを示す表示部１５が点灯する。
【００３８】
プラグ差し込み口１１に対してプラグを抜き差しする場合、使用者は、プラグ接続部１の上面部１ａと底面部１ｂとを片手でつかみ、プラグ接続部１を手指で挟持すると同時に、手指を手掛け部１４に引っ掛け、プラグ接続部１がプラグに対して相対的に動かないように支持する。これにより、プラグを容易に抜き差しすることができる。
【００３９】
プラグをプラグ差し込み口１１から引き抜き、また、電力供給用のプラグを引き抜くことで、使用者は、配線器具１００を別の場所に持ち運ぶことができる。
【００４０】
本実施形態の配線器具１００によれば、プラグをプラグ差し込み口１１に対して抜き差しする際に、プラグ接続部１がプラグに対して相対的に動かないように片手で容易に支持しやすい。
【００４１】
本実施形態の配線器具１００によれば、手掛け部１４は、底面部１ｂと同心円状に形成されており、プラグ接続部１の外周部１ｃのいずれの方向から挟持する場合であっても、手掛け部１４に容易に手指を引っ掛けることができる。また、プラグを抜き差しする方向から見て、プラグ差し込み口１１の左右のどちらにも手掛け部１４が配置されるため、使用者が右利きであるか左利きであるかにか関わらず、使用することができる。
【００４２】
本実施形態の配線器具１００によれば、手掛け部１４は、挟持可能領域Ａに設けられているため、プラグ接続部１を手指で挟持すると同時に、手指を手掛け部１４に引っ掛け、プラグ接続部１をしっかり支持することができる。
【００４３】
本実施形態の配線器具１００によれば、ポール２の長手方向の中心軸は、円盤状のプラグ接続部１の円盤中心軸と一致しており、ポール２はプラグ接続部１を安定して支持することができる。
【００４４】
本実施形態の配線器具１００によれば、４個のプラグ差し込み口１１が、プラグ接続部１の外周部１ｃの周方向に均等に配置されており、４個のプラグ差し込み口１１にプラグが差し込まれた場合であっても、プラグ接続部１の重心位置がぶれづらく、ポール２により安定して支持しやすい。
【００４５】
本実施形態の配線器具１００によれば、円盤形状のプラグ接続部１の外周部１ｃに複数のプラグ差し込み口１１が設けられているため、複数人が同時に異なるプラグ差し込み口１１に対してプラグを抜き差しすることができる。
【００４６】
（変形例）
以上、本発明の一実施形態について図面を参照して詳述したが、具体的な構成はこの実施形態に限られるものではなく、本発明の要旨を逸脱しない範囲の設計変更等も含まれる。また、上述の一実施形態および以下で示す変形例において示した構成要素は適宜に組み合わせて構成することが可能である。
【００４７】
例えば、上記実施形態では、プラグ接続部１は円盤状に形成されていたが、プラグ接続部の形状は円盤形状に限定されない。プラグ接続部は、平面視が多角形状となる盤状に形成されていてもよい。また、プラグ接続部は、平面視が中心から点対称でない形状、例えばひょうたん形状、となる盤状に形成されていてもよい。プラグ接続部は、上面部と底面部とを手指で挟持可能な厚みに形成されていれば、平面視においてどのような形状であってもよい。
【００４８】
例えば、上記実施形態では、手掛け部１４はプラグ接続部１の底面部１ｂに設けられていたが、手掛け部が配置される場所は底面部１ｂに限定されない。図６は、手掛け部１４の変形例である手掛け部１４Ｂを備える配線器具を示す斜視図である。手掛け部は、図６に示すように、上面部に設けられていてもよい。ここで、手掛け部１４Ｂは、図５（Ａ）に示すように、挟持可能領域Ａに配置されている。手掛け部が挟持可能領域Ａに設けられていれば、プラグ接続部を手指で挟持すると同時に、手指を手掛け部に引っ掛け、プラグ接続部をしっかり支持することができる。
【００４９】
例えば、上記実施形態では、手掛け部１４は凹状に形成されていたが、手掛け部の形状はこれに限定されない。図７は、手掛け部１４の変形例である手掛け部１４Ｃを備える配線器具を示す斜視図である。手掛け部は、図７に示すように、凸状に形成されていてもよい。また、手掛け部は、ラバー素材等で形成された滑り止め部材であってもよい。手掛け部は、手指を引っ掛けることができる部材であればよい。
【００５０】
例えば、上記実施形態では、手掛け部１４はプラグ接続部１の底面部１ｂのみが有していたが、手掛け部を有する部材は、上面部と底面部のいずれか一方に限定されない。手掛け部は、上面部および底面部の両方が有していてもよい。上面部および底面部の両方が手掛け部を有することで、より好適に手指を手掛け部に引っ掛け、プラグ接続部をしっかり支持することができる。
【００５１】
例えば、上記実施形態では、手掛け部１４は底面部１ｂと同心円状に設けられていたが、手掛け部の態様はこれに限定されない。図７に示す手掛け部１４Ｃのように、円周上の一部に分割して配置されていてもよい。使用者が手指を挟持する可能性が高い領域に手掛け部を配置していれば、手指を手掛け部に引っ掛け、プラグ接続部をしっかり支持することができる。
【００５２】
例えば、上記実施形態では、４個のプラグ差し込み口１１が外周部１ｃの周方向に均等に配置されていたが、プラグ差し込み口の配置態様はこれに限定されない。プラグ差し込み口の個数は４個以外であってもよい。また、複数のプラグ差し込み口は、外周部１ｃの周方向に均等に配置されていなくてもよい。
【００５３】
例えば、上記実施形態では、プラグ差し込み口１１は電源コンセントであったが、プラグ差し込み口の態様はこれに限定されない。プラグ差し込み口は、ＬＡＮコネクタの差し込み口であってもよいし、ＵＳＢコネクタの差し込み口であってもよい。いずれのコネクタ用のプラグ差し込み口であっても、コネクタをプラグ差し込み口に対して抜き差しする際に、コネクタに対して相対的に動かないように手指で支持しやすい。
【００５４】
例えば、上記実施形態では、ポール２は高さ調整機能等を有していなかったが、ポール２の態様はこれに限定されない。ポールは、高さ調整機能を有していてもよい。高さ調整機能を有するポールは、プラグ差し込み口の高さを調整することができ、プラグ差し込み口を抜き差しが容易な位置に好適に配置可能である。
【００５５】
例えば、上記実施形態では、ポール２に支持されるプラグ接続部１の接続部１２は、底面部１ｂの中心に配置されていたが、接続部の位置はこれに限定されない。接続部は、底面部の中心以外の場所に配置されていてもよい。
【産業上の利用可能性】
【００５６】
本発明は、持ち運び可能な配線器具に適用することができる。
【符号の説明】
【００５７】
１００  配線器具
１      プラグ接続部
１ａ    上面部
１ｂ    底面部
１ｃ    外周部
１１    プラグ差し込み口
１２    接続部
１３    開口
１４    手掛け部
２      ポール（支持部）
３      ベース部
３１    接地部
３２    ポール支持部
【図１】
2019079616.tif 000003
【図２】
2019079616.tif 000004
【図３】
2019079616.tif 000005
【図４】
2019079616.tif 000006
【図５】
2019079616.tif 000007
【図６】
2019079616.tif 000008
【図７】
2019079616.tif 000009